(57)【要約】【課題】電気泳動表示装置において、電気泳動層に対する防湿性を高めると共に、製造の容易性を向上させる。【解決手段】電気泳動表示装置は、互いに対向する第１基板（１０）及び第２基板（２０）と、第１及び第２基板間に設けられた電気泳動層（２３）と、第１基板上に設けられた複数の画素電極（２１）と、第２基板における第１基板に対向する面に設けられた第１防湿膜（４１）と、第１防湿膜上に複数の画素電極に対向するように設けられた共通電極（２２）とを備える。【選択図】図２
2011221408.tif 000002
【特許請求の範囲】
【請求項１】
互いに対向する第１及び第２基板と、
前記第１及び第２基板間に設けられた電気泳動層と、
前記第１基板上に設けられた複数の画素電極と、
前記第２基板における前記第１基板に対向する面に設けられた第１防湿膜と、
前記第１防湿膜上に前記複数の画素電極に対向するように設けられた共通電極と
を備えることを特徴とする電気泳動表示装置。
【請求項２】
前記第２基板における前記第１基板に対向する面とは異なる面に設けられた第２防湿膜を備えることを特徴とする請求項１に記載の電気泳動表示装置。
【請求項３】
前記第１及び第２基板は、線膨張係数が互いに等しいことを特徴とする請求項１又は２に記載の電気泳動表示装置。
【請求項４】
前記第１基板における前記第２基板に対向する面に設けられた第３防湿膜と、
前記第１基板における前記第２基板に対向する面とは異なる面に設けられた第４防湿膜と
を備えることを特徴とする請求項１から３のいずれか一項に記載の電気泳動表示装置。
【請求項５】
請求項１から４のいずれか一項に記載の電気泳動表示装置を備えることを特徴とする電子機器。
【発明の詳細な説明】
【技術分野】
【０００１】
本発明は、電気泳動表示装置及び電子機器の技術分野に関する。
【背景技術】
【０００２】
この種の電気泳動表示装置として、画素電極や画素スイッチング素子が設けられた素子基板（或いは「背面板」と呼ばれることもある）と、共通電極が設けられた対向基板（或いは「前面板」と呼ばれることもある）との間に電気泳動層を備えてなる電気泳動表示装置が知られている（例えば特許文献１参照）。このような電気泳動表示装置では、例えば電気泳動層が外部の水分を吸収するなどして電気泳動層に保持されている水分の量が変化すると、電気泳動層の電気的特性が変化することにより表示品質が低下してしまうおそれがある。
【０００３】
例えば特許文献１には、透明樹脂からなる前面板における電気泳動層（マイクロカプセル表示層）に対向しない側に、０．１ｇ／ｍ２・日以下の水蒸気透過度を有する透明樹脂保護膜を配置することにより、電気泳動層への水分の浸入を低減する技術が開示されている。
【先行技術文献】
【特許文献】
【０００４】
【特許文献１】特開２００５−１１４８２０号公報
【発明の概要】
【発明が解決しようとする課題】
【０００５】
しかしながら、上述した特許文献１に開示された技術では、前面板と透明樹脂保護膜とが別個の部品であるため、製造プロセスにおいて、前面板と透明樹脂保護膜との位置合わせを行う必要がある。このため、前面板と透明樹脂保護膜との位置ずれが生じてしまうおそれがあるという技術的問題点がある。
【０００６】
本発明は、例えば上述した問題点に鑑みなされたものであり、電気泳動層に対する防湿性を高めることができ、且つ、製造の容易性を向上させることが可能な電気泳動表示装置及びこのような電気泳動表示装置を備える電子機器を提供することを課題とする。
【課題を解決するための手段】
【０００７】
本発明の電気泳動表示装置は上記課題を解決するために、互いに対向する第１及び第２基板と、前記第１及び第２基板間に設けられた電気泳動層と、前記第１基板上に設けられた複数の画素電極と、前記第２基板における前記第１基板に対向する面に設けられた第１防湿膜と、前記第１防湿膜上に前記複数の画素電極に対向するように設けられた共通電極とを備える。
【０００８】
本発明の電気泳動表示装置によれば、その動作時には、第１及び第２基板間に設けられた電気泳動層に、例えば画像信号に応じた電圧が印加されることにより例えば表示領域に画像が表示される。
【０００９】
第１基板は、例えばガラス基板等からなる。第１基板上には、画素電極が表示領域における画素毎に設けられる。尚、例えば、各画素には、画素電極を駆動するための画素スイッチング素子が設けられる。
【００１０】
第２基板は、例えばＰＥＴ（ポリエチレンテレフタレート）基板、ガラス基板等からなる。第２基板は、電気泳動層を介して第１基板に対向するように配置される。第２基板上には、画素電極に対向する共通電極が設けられる。
【００１１】
本発明では特に、第１防湿膜が、第２基板における第１基板に対向する面（即ち、第２基板における電気泳動層に対向する側の面）に設けられ、該第１防湿膜上に共通電極が形成される。第１防湿膜は、典型的には、例えば酸化シリコン（ＳｉＯｘ）、窒化シリコン（ＳｉＮｘ）、酸窒化シリコン（ＳｉＯＮｘ）等の無機物が、第２基板上に例えばＣＶＤ（Chemical Vapor Deposition）法等によって、単層もしくは多層に成膜されてなり、第２基板と一体的に形成される（即ち、一個の部品として形成される）。
【００１２】
よって、第１防湿膜によって、第２基板を介して外部から電気泳動層に水分が浸入してしまうことを抑制或いは防止できる。従って、電気泳動層に対する防湿性を高めることができる。この結果、本発明の電気泳動表示装置によれば、高品位な表示を行うことが可能となる。
【００１３】
更に、第１防湿膜を例えばＣＶＤ法等によって第２基板と一体的に形成する（即ち、一個の部品として形成する）ことにより、例えば、第１防湿膜と第２基板との位置合わせを行わずに済む。よって、当該電気泳動表示装置の製造の容易性を向上させることができる。
【００１４】
以上説明したように、本発明の電気泳動表示装置によれば、電気泳動層に対する防湿性を高めることができ、且つ、製造の容易性を向上させることができる。
【００１５】
本発明の電気泳動表示装置の一態様では、前記第２基板における前記第１基板に対向する面とは異なる面に設けられた第２防湿膜を備える。
【００１６】
この態様によれば、第１防湿膜と第２防湿膜との間に第２基板が挟まれるので、第２基板の反り或いは歪みを低減或いは防止できる。
【００１７】
本発明の電気泳動表示装置の他の態様では、前記第１及び第２基板は、線膨張係数が互いに等しい。
【００１８】
この態様によれば、温度変化により生ずる第１基板と第２基板との間の熱応力を殆ど或いは実践上完全に無くすことができ、例えば第１基板或いは第２基板が剥離してしまうなどの熱応力に起因する不具合を低減或いは防止できる。ここで、「第１及び第２基板は、線膨張係数が互いに等しい」とは、第１基板の線膨張係数と第２基板の線膨張係数とが、必ずしも文字通り完全に互いに等しいことを要求する趣旨ではなく、熱応力に起因する不具合が生じない程度に互いに近ければ足りる趣旨である。
【００１９】
本発明の電気泳動表示装置の他の態様では、前記第１基板における前記第２基板に対向する面に設けられた第３防湿膜と、前記第１基板における前記第２基板に対向する面とは異なる面に設けられた第４防湿膜とを備える。
【００２０】
この態様によれば、第３及び第４防湿膜によって、第１基板を介して外部から電気泳動層に水分が浸入してしまうことをより一層確実に抑制或いは防止できる。従って、電気泳動層に対する防湿性をより一層高めることができる。更に、第３防湿膜と第４防湿膜との間に第１基板が挟まれるので、第１基板の反り或いは歪みを低減或いは防止できる。
【００２１】
本発明の電子機器は上記課題を解決するために、上述した本発明に係る電気泳動表示装置（但し、その各種態様を含む）を備える。
【００２２】
本発明の電子機器によれば、上述した本発明の電気泳動表示装置を備えるので、高品位な表示を行うことが可能な、例えば、腕時計、電子ペーパー、電子ノート、携帯電話、携帯用オーディオ機器などの各種電子機器を実現できる。
【００２３】
本発明の作用及び他の利得は次に説明する発明を実施するための形態から明らかにされる。
【図面の簡単な説明】
【００２４】
【図１】第１実施形態に係る電気泳動表示装置の概略構成を示す平面図である。
【図２】図１のII−II’線での断面図である。
【図３】第２実施形態に係る電気泳動表示装置の構成を示す断面図である。
【図４】第３実施形態に係る電気泳動表示装置の構成を示す断面図である。
【図５】第４実施形態に係る電気泳動表示装置の構成を示す断面図である。
【図６】電気泳動表示装置を適用した電子機器の一例たる電子ペーパーの構成を示す斜視図である。
【図７】電気泳動表示装置を適用した適用した電子機器の一例たる電子ノートの構成を示す斜視図である。
【発明を実施するための形態】
【００２５】
以下では、本発明の実施形態について図を参照しつつ説明する。
【００２６】
＜第１実施形態＞
第１実施形態に係る電気泳動表示装置について、図１及び図２を参照して説明する。
【００２７】
図１は、本実施形態に係る電気泳動表示装置の概略構成を示す平面図であり、図２は、図１のII−II’線での断面図である。尚、図２においては、各層・各部材を図面上で認識可能な程度の大きさとするため、該各層・各部材ごとに縮尺を異ならしめてある。
【００２８】
図１及び図２において、本実施形態に係る電気泳動表示装置１は、互いに対向するように配置された本発明に係る「第１基板」の一例としての素子基板１０と本発明に係る「第２基板」の一例としての対向基板２０との間に設けられた電気泳動層２３に、画像信号に応じた電圧を印加することにより、表示領域１０ａにおいて表示を行うことが可能なアクティブマトリクス駆動方式の電気泳動表示装置である。
【００２９】
素子基板１０は、ガラス基板からなる。素子基板１０上には、画素電極２１及び該画素電極２１を駆動するための薄膜トランジスタ（ＴＦＴ：Thin Film Transistor）が、表示領域１０ａにマトリクス状に配列された画素毎に設けられている。より具体的には、素子基板１０上には、画素電極２１を駆動するためのＴＦＴや走査線、データ線等の配線が作り込まれた積層構造が形成されており、この積層構造の上層に画素電極２１がマトリクス状に設けられている。尚、素子基板１０は、可撓性を有していてもよいし、可撓性を有していなくてもよい。素子基板１０を構成するガラス基板を例えば研磨等により薄く形成することで、可撓性を有する素子基板１０を形成することができる。また、素子基板１０は、例えばプラスチック基板、ステンレス基板、アルミニウム基板等であってもよい。
【００３０】
対向基板２０は、ＰＥＴ（ポリエチレンテレフタレート）基板からなる。対向基板２０は、表示領域１０ａにおいて電気泳動層２３を介して素子基板１０に対向するように配置されている。対向基板２０上における素子基板１０との対向面上には、例えば酸化シリコン（ＳｉＯｘ）、窒化シリコン（ＳｉＮｘ）、酸窒化シリコン（ＳｉＯＮｘ）等の無機物からなる防湿膜４１が設けられている。防湿膜４１上には、共通電極２２が、素子基板１０上に設けられた複数の画素電極２１と対向して形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。尚、防湿膜４１は、本発明に係る「第１防湿膜」の一例である。防湿膜４１については後に詳細に説明する。
【００３１】
電気泳動層２３は、素子基板１０及び対向基板２０間における表示領域１０ａに設けられている。電気泳動層２３は、電気泳動粒子をそれぞれ含んでなる複数のマイクロカプセル８０と、例えば樹脂等からなるバインダー８５とを含んでいる。本実施形態に係る電気泳動表示装置１は、製造プロセスにおいて、電気泳動層２３が予め対向基板２０側にバインダー８５によって固定されてなる電気泳動シートが、別途製造された、画素電極２１等が形成された素子基板１０側に接着層３１によって接着されている。
【００３２】
マイクロカプセル８０は、素子基板１０上の画素電極２１と対向基板２０上の共通電極２２との間に挟持され、１つの画素内に（言い換えれば、１つの画素電極２１に対して）１つ又は複数配置されている。
【００３３】
マイクロカプセル８０は、その内部に分散媒と、電気泳動粒子である複数の白色粒子と、複数の黒色粒子とが封入されてなる。マイクロカプセル８０は、例えば、５０ｕｍ程度の粒径を有する球状に形成されている。
【００３４】
マイクロカプセル８０の外殻として機能する被膜は、ポリメタクリル酸メチル、ポリメタクリル酸エチル等のアクリル樹脂、ユリア樹脂、アラビアガム等の透光性を有する高分子樹脂から形成されている。
【００３５】
分散媒は、白色粒子及び黒色粒子をマイクロカプセル８０内（言い換えれば、被膜内）に分散させる媒質である。分散媒としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒には、界面活性剤が配合されてもよい。
【００３６】
白色粒子は、例えば、二酸化チタン、亜鉛華（酸化亜鉛）、三酸化アンチモン等の白色顔料からなる粒子（高分子或いはコロイド）であり、例えば負に帯電されている。
【００３７】
黒色粒子は、例えば、アニリンブラック、カーボンブラック、チタンブラック等の黒色顔料からなる粒子（高分子或いはコロイド）であり、例えば正に帯電されている。
【００３８】
このため、白色粒子及び黒色粒子は、画素電極２１と共通電極２２との間の電位差によって発生する電場によって、分散媒中を移動することができる。
【００３９】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４０】
画素電極２１と共通電極２２との間に、相対的に共通電極２２の電位が高くなるように電圧が印加された場合には、正に帯電された黒色粒子はクーロン力によってマイクロカプセル８０内で画素電極２１側に引き寄せられると共に、負に帯電された白色粒子はクーロン力によってマイクロカプセル８０内で共通電極２２側に引き寄せられる。この結果、マイクロカプセル８０内の表示面側（即ち、共通電極２２側）に白色粒子が集まることで、表示面（即ち、対向基板２０における素子基板１０に対向しない面の表示領域１０ａ）にこの白色粒子の色（即ち、白色）を表示することができる。逆に、画素電極２１と共通電極２２との間に、相対的に画素電極２１の電位が高くなるように電圧が印加された場合には、負に帯電された白色粒子がクーロン力によって画素電極２１側に引き寄せられると共に、正に帯電された黒色粒子はクーロン力によって共通電極２２側に引き寄せられる。この結果、マイクロカプセル８０の表示面側に黒色粒子が集まることで、表示面にこの黒色粒子の色（即ち、黒色）を表示することができる。
【００４１】
尚、画素電極２１及び共通電極２２間における白色粒子及び黒色粒子の分布状態によって、白色と黒色との中間階調である、ライトグレー、グレー、ダークグレー等の灰色を表示することも可能である。また、白色粒子、黒色粒子に用いる顔料を、例えば赤色、緑色、青色等の顔料に代えることによって、赤色、緑色、青色等のカラー表示も可能となる。
【００４２】
図１において、素子基板１０と対向基板２０との間には、表示領域１０ａに設けられた電気泳動層２３を囲むように封止部材５００が形成されている。
【００４３】
封止部材５００は、例えばエポキシ樹脂、シリコン樹脂、アクリル樹脂等の樹脂からなり、電気泳動層２３の側面側を封止し（言い換えれば、電気泳動層２３の外縁或いは外周側を封止し）、外部から電気泳動層２３に水分が侵入することを抑制する機能を有する。尚、封止部材５００は、素子基板１０及び対向基板２０を互いに貼り合わせる機能も有する。また、封止部材５００を構成する樹脂中に、シリカ、アルミナ等の無機微粒子が分散されていてもよい。この場合には、外部から封止部材５００を介して電気泳動層２３に水分が侵入することを抑制することができる。
【００４４】
図２において、本実施形態では特に、防湿膜４１が、対向基板２０における素子基板１０に対向する面（即ち、対向基板２０における電気泳動層２３に対向する側の面）に設けられており、この防湿膜４１上に共通電極２２が形成されている。防湿膜４１は、例えば酸化シリコン、窒化シリコン、酸窒化シリコン等の無機物が、対向基板２０上に例えばＣＶＤ法等によって成膜されてなり、対向基板２０と一体的に形成されている（即ち、一個の部品として形成されている）。
【００４５】
よって、防湿膜４１によって、ＰＥＴ基板からなる対向基板２０を介して外部から電気泳動層２３に水分が浸入してしまうことを抑制或いは防止できる。従って、電気泳動層２３に対する防湿性を高めることができる。この結果、本実施形態に係る電気泳動表示装置１によれば、高品位な表示を行うことが可能となる。
【００４６】
更に、防湿膜４１は、例えばＣＶＤ法等によって対向基板２０と一体的に形成されている（即ち、一個の部品として形成されている）ので、例えば、防湿膜４１と対向基板２０との位置合わせを行わずに済む。よって、製造の容易性を向上させることができる。
【００４７】
以上説明したように、本実施形態に係る電気泳動表示装置１によれば、電気泳動層２３に対する防湿性を高めることができ、且つ、製造の容易性を向上させることができる。
【００４８】
＜第２実施形態＞
第２実施形態に係る電気泳動表示装置について、図３を参照して説明する。
【００４９】
図３は、第２実施形態に係る電気泳動表示装置の構成を示す断面図である。尚、図３は、上述した第１実施形態における図２に対応して示してある。また、図３において、図１及び図２に示した第１実施形態に係る構成要素と同様の構成要素に同一の参照符合を付し、それらの説明は適宜省略する。
【００５０】
図３において、第２実施形態に係る電気泳動表示装置２は、本発明に係る「第２防湿膜」の一例としての防湿膜４２を更に備える点で、上述した第１実施形態に係る電気泳動表示装置１と異なり、その他の点については、上述した第１実施形態に係る電気泳動表示装置１と概ね同様に構成されている。
【００５１】
図３において、本実施形態では特に、対向基板２０における素子基板１０に対向する面とは異なる面（即ち、対向基板２０における素子基板１０に対向しない面）には、防湿膜４２が設けられている。防湿膜４２は、防湿膜４１と同様に、例えば酸化シリコン、窒化シリコン、酸窒化シリコン等の無機物が、対向基板２０上に例えばＣＶＤ法等によって成膜されてなる。よって、防湿膜４２によって、対向基板２０を介して外部から電気泳動層２３に水分が浸入してしまうことをより一層確実に抑制或いは防止できる。更に、防湿膜４１と防湿膜４２との間に対向基板２０が挟まれるので、対向基板２０の反り或いは歪みを低減或いは防止できる。
【００５２】
＜第３実施形態＞
第３実施形態に係る電気泳動表示装置について、図４を参照して説明する。
【００５３】
図４は、第３実施形態に係る電気泳動表示装置の構成を示す断面図である。尚、図４は、上述した第１実施形態における図２に対応して示してある。また、図４において、図１及び図２に示した第１実施形態に係る構成要素と同様の構成要素に同一の参照符合を付し、それらの説明は適宜省略する。
【００５４】
図４において、第３実施形態に係る電気泳動表示装置３は、上述した第１実施形態における対向基板２０に代えて対向基板２０ｂを備える点で、上述した第１実施形態に係る電気泳動表示装置１と異なり、その他の点については、上述した第１実施形態に係る電気泳動表示装置１と概ね同様に構成されている。
【００５５】
図４において、対向基板２０ｂは、電気泳動層２３を介して素子基板１０に対向するように配置されている。
【００５６】
本実施形態では特に、対向基板２０ｂは、素子基板１０と同様に、ガラス基板からなり、素子基板１０と線膨張係数が互いに等しい。即ち、本実施形態では特に、素子基板１０及び対向基板２０ｂは、いずれもガラス基板からなり、線膨張係数が互いに等しい。
【００５７】
よって、温度変化により生ずる素子基板１０と対向基板２０ｂとの間の熱応力を殆ど或いは実践上完全に無くすことができ、例えば素子基板１０或いは対向基板２０ｂが剥離してしまうなどの熱応力に起因する不具合を低減或いは防止できる。
【００５８】
＜第４実施形態＞
第４実施形態に係る電気泳動表示装置について、図５を参照して説明する。
【００５９】
図５は、第４実施形態に係る電気泳動表示装置の構成を示す断面図である。尚、図５は、上述した第２実施形態における図３に対応して示してある。また、図５において、図３に示した第２実施形態に係る構成要素と同様の構成要素に同一の参照符合を付し、それらの説明は適宜省略する。
【００６０】
図５において、第４実施形態に係る電気泳動表示装置４は、上述した第２実施形態における素子基板１０に代えて素子基板１０ｂ、防湿膜５１及び５２を備える点で、上述した第２実施形態に係る電気泳動表示装置２と異なり、その他の点については、上述した第２実施形態に係る電気泳動表示装置２と概ね同様に構成されている。尚、防湿膜５１は、本発明に係る「第３防湿膜」の一例であり、防湿膜５２は、本発明に係る「第４防湿膜」の一例である。
【００６１】
図５において、素子基板１０ｂは、電気泳動層２３を介して対向基板２０に対向するように配置されている。素子基板１０ｂは、対向基板２０と同様に、ＰＥＴ基板からなる。
【００６２】
本実施形態では特に、素子基板１０ｂにおける対向基板２０に対向する面上に、防湿膜５１が設けられていると共に、素子基板１０ｂにおける対向基板２０に対向する面とは異なる面（即ち、素子基板１０ｂにおける対向基板２０に対向しない面）上に、防湿膜５２が設けられている。防湿膜５１及び５２は、例えば酸化シリコン、窒化シリコン、酸窒化シリコン等の無機物が、素子基板１０ｂ上に例えばＣＶＤ法等によって成膜されてなる。
【００６３】
よって、防湿膜５１及び５２によって、ＰＥＴ基板からなる素子基板１０ｂを介して外部から電気泳動層に水分が浸入してしまうことを抑制或いは防止できる。従って、電気泳動層２３に対する防湿性を高めることができる。更に、防湿膜５１と防湿膜５２との間に素子基板１０ｂが挟まれるので、素子基板１０ｂの反り或いは歪みを低減或いは防止できる。
【００６４】
更に本実施形態では特に、素子基板１０ｂは、対向基板２０と同様に、ＰＥＴ基板からなり、対向基板１０と線膨張係数が互いに等しい。即ち、本実施形態では特に、素子基板１０ｂ及び対向基板２０は、いずれもＰＥＴ基板からなり、線膨張係数が互いに等しい。
【００６５】
よって、温度変化により生ずる素子基板１０ｂと対向基板２０との間の熱応力を殆ど或いは実践上完全に無くすことができ、例えば素子基板１０ｂ或いは対向基板２０が剥離してしまうなどの熱応力に起因する不具合を低減或いは防止できる。
【００６６】
＜電子機器＞
次に、上述した電気泳動表示装置を適用した電子機器について、図６及び図７を参照して説明する。以下では、上述した電気泳動表示装置を電子ペーパー及び電子ノートに適用した場合を例にとる。
【００６７】
図６は、電子ペーパー１４００の構成を示す斜視図である。
【００６８】
図６に示すように、電子ペーパー１４００は、上述した実施形態に係る電気泳動表示装置１を表示部１４０１として備えている。電子ペーパー１４００は可撓性を有し、従来の紙と同様の質感及び柔軟性を有する書き換え可能なシートからなる本体１４０２を備えて構成されている。
【００６９】
図７は、電子ノート１５００の構成を示す斜視図である。
【００７０】
図７に示すように、電子ノート１５００は、図６で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００７１】
上述した電子ペーパー１４００及び電子ノート１５００は、上述した実施形態に係る電気泳動表示装置を備えるので、高品質な画像表示を行うことが可能である。
【００７２】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置、及び該電気泳動表示装置を備える電子機器もまた本発明の技術的範囲に含まれるものである。
【符号の説明】
【００７３】
１０、１０ｂ…素子基板、２０、２０ｂ…対向基板、２１…画素電極、２２…共通電極、２３…電気泳動層、４１、４２、５１、５２…防湿膜、８０…マイクロカプセル
【図１】
2011221408.tif 000003
【図２】
2011221408.tif 000004
【図３】
2011221408.tif 000005
【図４】
2011221408.tif 000006
【図５】
2011221408.tif 000007
【図６】
2011221408.tif 000008
【図７】
2011221408.tif 000009